(57)【要約】【課題】インターネットを通じて目論見書を交付する際に目論見書全体の交付を確認するという要請と、主要部だけをまず見たいという利用者側の要望とを両立できるようにする。【解決手段】受付手段１１０は、データベース１５１に仮目論見書が登録された段階では第１の選択用ウェブページ５００，５０１により仮目論見書の中でダウンロードする部分の選択を顧客端末２１０から受け付け、データベース１５１に追補目論見書が追加された段階では第２の選択用ウェブページ５００〜５０２により仮目論見書及び追補目論見書の中でダウンロードする部分の選択を顧客端末２１０から受け付ける。ダウンロード手段１２０は受付手段１１０で受け付けた選択部分を顧客端末２１０へ送信し、送信情報登録手段１３０はダウンロード済みの部分を示す送信箇所情報を送信先の顧客端末２１０と対応付けて登録する。【選択図】図１
2005346735.tif 000002
【特許請求の範囲】
【請求項１】
サーバからクライアントに向けての有価証券の目論見書のコンテンツデータのダウンロード状況を管理するダウンロード管理方法において、
前記サーバが、前記有価証券の仮目論見書のコンテンツデータが登録されたデータベースに前記有価証券の追補目論見書のコンテンツデータが登録される前に前記有価証券の目論見書のコンテンツデータの中でダウンロードする部分の選択を投資家が行うための選択用ウェブページの送信要求をクライアントから受けた場合に、前記有価証券の仮目論見書のコンテンツデータの中でダウンロードする部分の選択を投資家が行うための第１の選択用ウェブページであって前記ダウンロードする部分には募集要項の部分が含まれている第１の選択用ウェブページを前記クライアントに送信し、前記投資家による前記ダウンロードする部分の選択を前記第１の選択用ウェブページにより前記クライアントから受け付ける第１の選択受付ステップと、
前記サーバが、前記有価証券の仮目論見書のコンテンツデータの中で前記第１の選択受付ステップで受け付けた前記ダウンロードする部分のコンテンツデータを前記データベースから前記クライアントに向けてダウンロードする第１の送信ステップと、
前記サーバが、前記有価証券の仮目論見書のコンテンツデータの中で前記第１の送信ステップでダウンロードされたダウンロード済みの部分を示す送信箇所情報と送信先の前記クライアントを特定する受信者情報とを対応付けて登録する第１の登録ステップと、
前記サーバが、前記有価証券の仮目論見書及び追補目論見書のコンテンツデータが前記データベースに登録された後に前記有価証券の目論見書のコンテンツデータの中でダウンロードする部分の選択を投資家が行うための選択用ウェブページの送信要求をクライアントから受けた場合に、前記有価証券の仮目論見書及び追補目論見書のコンテンツデータの中でダウンロードする部分の選択を投資家が行うための第２の選択用ウェブページであって前記ダウンロードする部分には募集要項の部分が含まれている第２の選択用ウェブページを前記クライアントに送信し、前記投資家による前記ダウンロードする部分の選択を前記第２の選択用ウェブページにより前記クライアントから受け付ける第２の選択受付ステップと、
前記サーバが、前記有価証券の仮目論見書及び追補目論見書のコンテンツデータの中で前記第２の選択受付ステップで受け付けた前記ダウンロードする部分のコンテンツデータを前記データベースから前記クライアントに向けてダウンロードする第２の送信ステップと、
前記サーバが、前記有価証券の仮目論見書及び追補目論見書のコンテンツデータの中で前記第２の送信ステップでダウンロードされたダウンロード済みの部分を示す送信箇所情報と送信先の前記クライアントを特定する受信者情報とを対応付けて登録する第２の登録ステップと
を有する
ことを特徴とするダウンロード管理方法。
【請求項２】
前記第１の選択用ウェブページの表示画面には、前記有価証券の仮目論見書の内容を複数階層に分類した各部分の項目とそれぞれの部分に対応するチェックボックスであって前記ダウンロードする部分の選択を投資家が行うためのチェックボックスが前記仮目論見書の目次の形式で表示され、
前記第２の選択用ウェブページの表示画面には、前記有価証券の仮目論見書及び追補目論見書の内容を複数階層に分類した各部分の項目とそれぞれの部分に対応するチェックボックスであって前記ダウンロードする部分の選択を投資家が行うためのチェックボックスが前記仮目論見書及び追補目論見書の目次の形式で表示され、
前記第１及び第２の選択用ウェブページの表示画面において前記募集要項の部分が最下位項目であって同一階層の項目に分類されている
ことを特徴とする請求項１に記載のダウンロード管理方法。
【請求項３】
前記サーバが、前記有価証券の追補目論見書のコンテンツデータが前記データベースに追加されたとき、前記追補目論見書のコンテンツデータの部分がダウンロード済みでない部分として登録されるように前記送信箇所情報を変更する変更ステップをさらに有する
ことを特徴とする請求項１又は２に記載のダウンロード管理方法。
【請求項４】
有価証券の目論見書のコンテンツデータをクライアントに向けてダウンロードするサーバにおいて、
前記有価証券の仮目論見書のコンテンツデータが登録されたデータベースに前記有価証券の追補目論見書のコンテンツデータが登録される前に前記有価証券の目論見書のコンテンツデータの中でダウンロードする部分の選択を投資家が行うための選択用ウェブページの送信要求をクライアントから受けた場合に、前記有価証券の仮目論見書のコンテンツデータの中でダウンロードする部分の選択を投資家が行うための第１の選択用ウェブページであって前記ダウンロードする部分には募集要項の部分が含まれている第１の選択用ウェブページを前記クライアントに送信し、前記投資家による前記ダウンロードする部分の選択を前記第１の選択用ウェブページにより前記クライアントから受け付け、前記有価証券の仮目論見書及び追補目論見書のコンテンツデータが前記データベースに登録された後に前記有価証券の目論見書のコンテンツデータの中でダウンロードする部分の選択を投資家が行うための選択用ウェブページの送信要求をクライアントから受けた場合に、前記有価証券の仮目論見書及び追補目論見書のコンテンツデータの中でダウンロードする部分の選択を投資家が行うための第２の選択用ウェブページであって前記ダウンロードする部分には募集要項の部分が含まれている第２の選択用ウェブページを前記クライアントに送信し、前記投資家による前記ダウンロードする部分の選択を前記第２の選択用ウェブページにより前記クライアントから受け付ける受付手段と、
前記有価証券の仮目論見書のコンテンツデータの中で前記第１の選択用ウェブページにより前記受付手段で受け付けた前記ダウンロードする部分のコンテンツデータを前記データベースから前記クライアントに向けてダウンロードし、前記有価証券の仮目論見書及び追補目論見書のコンテンツデータの中で前記第２の選択用ウェブページにより前記受付手段で受け付けた前記ダウンロードする部分のコンテンツデータを前記データベースから前記クライアントに向けてダウンロードするダウンロード手段と、
前記ダウンロード手段によりダウンロードされたダウンロード済みの部分を示す送信箇所情報と送信先の前記クライアントを特定する受信者情報とを対応付けて登録する送信情報登録手段と
を有する
ことを特徴とするサーバ。
【請求項５】
前記第１の選択用ウェブページの表示画面には、前記有価証券の仮目論見書の内容を複数階層に分類した各部分の項目とそれぞれの部分に対応するチェックボックスであって前記ダウンロードする部分の選択を投資家が行うためのチェックボックスが前記仮目論見書の目次の形式で表示され、
前記第２の選択用ウェブページの表示画面には、前記有価証券の仮目論見書及び追補目論見書の内容を複数階層に分類した各部分の項目とそれぞれの部分に対応するチェックボックスであって前記ダウンロードする部分の選択を投資家が行うためのチェックボックスが前記仮目論見書及び追補目論見書の目次の形式で表示され、
前記第１及び第２の選択用ウェブページの表示画面において前記募集要項の部分が最下位項目であって同一階層の項目に分類されている
ことを特徴とする請求項４に記載のサーバ。
【請求項６】
前記有価証券の追補目論見書のコンテンツデータが前記データベースに追加されたとき、前記追補目論見書のコンテンツデータの部分がダウンロード済みでない部分として登録されるように前記送信箇所情報を変更する変更手段をさらに有する
ことを特徴とする請求項４又は５に記載のサーバ。
【請求項７】
コンピュータを、請求項４〜６の何れかに記載のサーバとして機能させるためのプログラム。
【請求項８】
コンピュータに、請求項１〜３の何れかに記載のダウンロード管理方法を実行させるためのプログラム。
【発明の詳細な説明】
【技術分野】
【０００１】
本発明は、サーバからクライアントに向けてのデータのダウンロード状況を管理するダウンロード管理方法、サーバおよびプログラムに係わり、例えば、新規発売の有価証券の募集・売出し時に交付する目論見書をクライアントに向けてダウンロードするためのダウンロード管理方法、サーバおよびプログラムに関する。
【背景技術】
【０００２】
近年、インターネットを通じて新規上場株式の募集など有価証券の募集・売出し等が行われている。
新規発売債券を購入のための手続きとしては、口座の開設、新規銘柄の確認、目論見書の交付閲覧、申し込み、ブックビルディング後の条件決定、目論見書閲覧の確認、購入代金の振込みなどがある。
これらのうち、口座の開設、新規銘柄の概略確認、購入代金の振込みなど、殆んどの手続きについては、インターネットを介して行うことができるが、目論見書についてはその交付を書面で行うことが法律で義務付けられている。
【０００３】
このため、インターネット上では、新規銘柄の概略だけを表示し、目論見書については郵送したり営業所の窓口で交付したりするようになっている。また、インターネットを通じて目論見書をダウンロード可能とするサイトもあるが、正式な交付は窓口等を通じて書面で行われている。
【０００４】
なお、目論見書とは、有価証券の募集あるいは売出し時における販売・勧誘に際して投資家に投資判断の基準となる情報を提供することを目的として交付する文書で、当該有価証券やその発行者について説明したものである。
目論見書には、発行者、事業内容、資本構成、手取金の使途など発行主体に関する情報や、額面総額、発行価格、利率、償還期間、申込期間、払込期日など発行する有価証券についての情報等が記載される。目論見書は、発行者や発行証券について詳細に記載したものであるため、数十頁におよぶ膨大な資料になる場合が多い。
【発明の開示】
【発明が解決しようとする課題】
【０００５】
将来の法改正により、目論見書についてもインターネット上での交付が認可される可能性がある。ただし、この場合でも、数十頁におよぶ膨大な目論見書の全体をインターネットを通じて交付しまたその交付を確認することが義務付けられるであろう。
【０００６】
一方、購入希望者の多くは、購入する有価証券を選択する段階では、当該有価証券の目論見書に記載されているすべての情報を必要とせずに、募集要項などの主要部分だけを見たいと望む傾向にある。したがって、インターネットを通じた目論見書の交付が可能となった場合には、目論見書全体を交付しかつ確認するという要請と、有価証券を選択する段階では目論見書の主要部だけを閲覧したいという利用者側の要望を両立させることが望ましい。
【０００７】
しかしながら、従来から行われているインターネット上での目論見書のダウンロードは、正式な交付は書面で行うことを前提にしたものなので、誰がダウンロードしたのかを管理していない。このため、購入を希望するクライアントが目論見書をダウンロード済みか否かを証券会社のサーバ側で確認することができない。
また、目論見書あるいは追補目論見書の全体を単位としてダウンロードするものであるため、有価証券の選択の段階では目論見書の主要部だけを閲覧したいという利用者側の要望に応えることができない。
【０００８】
本発明は、以上のような観点に着目してなされたもので、インターネットを通じて目論見書を交付する際に目論見書全体の交付を確認するという要請と、主要部だけを先ず見たいという利用者側の要望とを両立させることのできるダウンロード管理方法、サーバおよびプログラムを提供することを目的とする。
【課題を解決するための手段】
【０００９】
かかる目的を達成するための本発明の要旨とするところは、次の各項の発明に存する。
［１］サーバ（１００）からクライアント（２１０）に向けての有価証券の目論見書のコンテンツデータのダウンロード状況を管理するダウンロード管理方法において、
前記サーバ（１００）が、前記有価証券の仮目論見書のコンテンツデータが登録されたデータベース（１５１）に前記有価証券の追補目論見書のコンテンツデータが登録される前に前記有価証券の目論見書のコンテンツデータの中でダウンロードする部分の選択を投資家が行うための選択用ウェブページの送信要求をクライアント（２１０）から受けた場合に、前記有価証券の仮目論見書のコンテンツデータの中でダウンロードする部分の選択を投資家が行うための第１の選択用ウェブページ（５００，５０１）であって前記ダウンロードする部分には募集要項の部分が含まれている第１の選択用ウェブページ（５００，５０１）を前記クライアント（２１０）に送信し、前記投資家による前記ダウンロードする部分の選択を前記第１の選択用ウェブページ（５００，５０１）により前記クライアント（２１０）から受け付ける第１の選択受付ステップと、
前記サーバ（１００）が、前記有価証券の仮目論見書のコンテンツデータの中で前記第１の選択受付ステップで受け付けた前記ダウンロードする部分のコンテンツデータを前記データベース（１５１）から前記クライアント（２１０）に向けてダウンロードする第１の送信ステップと、
前記サーバ（１００）が、前記有価証券の仮目論見書のコンテンツデータの中で前記第１の送信ステップでダウンロードされたダウンロード済みの部分を示す送信箇所情報と送信先の前記クライアント（２１０）を特定する受信者情報とを対応付けて登録する第１の登録ステップと、
前記サーバ（１００）が、前記有価証券の仮目論見書及び追補目論見書のコンテンツデータが前記データベース（１５１）に登録された後に前記有価証券の目論見書のコンテンツデータの中でダウンロードする部分の選択を投資家が行うための選択用ウェブページの送信要求をクライアント（２１０）から受けた場合に、前記有価証券の仮目論見書及び追補目論見書のコンテンツデータの中でダウンロードする部分の選択を投資家が行うための第２の選択用ウェブページ（５００〜５０２）であって前記ダウンロードする部分には募集要項の部分が含まれている第２の選択用ウェブページ（５００〜５０２）を前記クライアント（２１０）に送信し、前記投資家による前記ダウンロードする部分の選択を前記第２の選択用ウェブページ（５００〜５０２）により前記クライアント（２１０）から受け付ける第２の選択受付ステップと、
前記サーバ（１００）が、前記有価証券の仮目論見書及び追補目論見書のコンテンツデータの中で前記第２の選択受付ステップで受け付けた前記ダウンロードする部分のコンテンツデータを前記データベース（１５１）から前記クライアント（２１０）に向けてダウンロードする第２の送信ステップと、
前記サーバ（１００）が、前記有価証券の仮目論見書及び追補目論見書のコンテンツデータの中で前記第２の送信ステップでダウンロードされたダウンロード済みの部分を示す送信箇所情報と送信先の前記クライアント（２１０）を特定する受信者情報とを対応付けて登録する第２の登録ステップと
を有する
ことを特徴とするダウンロード管理方法。
【００１０】
［２］前記第１の選択用ウェブページ（５００，５０１）の表示画面には、前記有価証券の仮目論見書の内容を複数階層に分類した各部分の項目とそれぞれの部分に対応するチェックボックスであって前記ダウンロードする部分の選択を投資家が行うためのチェックボックスが前記仮目論見書の目次の形式で表示され、
前記第２の選択用ウェブページ（５００〜５０２）の表示画面には、前記有価証券の仮目論見書及び追補目論見書の内容を複数階層に分類した各部分の項目とそれぞれの部分に対応するチェックボックスであって前記ダウンロードする部分の選択を投資家が行うためのチェックボックスが前記仮目論見書及び追補目論見書の目次の形式で表示され、
前記第１及び第２の選択用ウェブページの表示画面において前記募集要項の部分が最下位項目であって同一階層の項目に分類されている
ことを特徴とする［１］に記載のダウンロード管理方法。
【００１１】
［３］前記サーバ（１００）が、前記有価証券の追補目論見書のコンテンツデータが前記データベース（１５１）に追加されたとき、前記追補目論見書のコンテンツデータの部分がダウンロード済みでない部分として登録されるように前記送信箇所情報を変更する変更ステップをさらに有する
ことを特徴とする［１］又は［２］に記載のダウンロード管理方法。
【００１２】
［４］有価証券の目論見書のコンテンツデータをクライアント（２１０）に向けてダウンロードするサーバ（１００）において、
前記有価証券の仮目論見書のコンテンツデータが登録されたデータベース（１５１）に前記有価証券の追補目論見書のコンテンツデータが登録される前に前記有価証券の目論見書のコンテンツデータの中でダウンロードする部分の選択を投資家が行うための選択用ウェブページの送信要求をクライアント（２１０）から受けた場合に、前記有価証券の仮目論見書のコンテンツデータの中でダウンロードする部分の選択を投資家が行うための第１の選択用ウェブページ（５００，５０１）であって前記ダウンロードする部分には募集要項の部分が含まれている第１の選択用ウェブページ（５００，５０１）を前記クライアント（２１０）に送信し、前記投資家による前記ダウンロードする部分の選択を前記第１の選択用ウェブページ（５００，５０１）により前記クライアント（２１０）から受け付け、前記有価証券の仮目論見書及び追補目論見書のコンテンツデータが前記データベース（１５１）に登録された後に前記有価証券の目論見書のコンテンツデータの中でダウンロードする部分の選択を投資家が行うための選択用ウェブページの送信要求をクライアント（２１０）から受けた場合に、前記有価証券の仮目論見書及び追補目論見書のコンテンツデータの中でダウンロードする部分の選択を投資家が行うための第２の選択用ウェブページ（５００〜５０２）であって前記ダウンロードする部分には募集要項の部分が含まれている第２の選択用ウェブページ（５００〜５０２）を前記クライアント（２１０）に送信し、前記投資家による前記ダウンロードする部分の選択を前記第２の選択用ウェブページ（５００〜５０２）により前記クライアント（２１０）から受け付ける受付手段（１１０）と、
前記有価証券の仮目論見書のコンテンツデータの中で前記第１の選択用ウェブページ（５００，５０１）により前記受付手段（１１０）で受け付けた前記ダウンロードする部分のコンテンツデータを前記データベース（１５１）から前記クライアント（２１０）に向けてダウンロードし、前記有価証券の仮目論見書及び追補目論見書のコンテンツデータの中で前記第２の選択用ウェブページ（５００〜５０２）により前記受付手段（１１０）で受け付けた前記ダウンロードする部分のコンテンツデータを前記データベース（１５１）から前記クライアント（２１０）に向けてダウンロードするダウンロード手段（１２０）と、
前記ダウンロード手段（１２０）によりダウンロードされたダウンロード済みの部分を示す送信箇所情報と送信先の前記クライアント（２１０）を特定する受信者情報とを対応付けて登録する送信情報登録手段（１３０）と
を有する
ことを特徴とするサーバ（１００）。
【００１３】
［５］前記第１の選択用ウェブページ（５００，５０１）の表示画面には、前記有価証券の仮目論見書の内容を複数階層に分類した各部分の項目とそれぞれの部分に対応するチェックボックスであって前記ダウンロードする部分の選択を投資家が行うためのチェックボックスが前記仮目論見書の目次の形式で表示され、
前記第２の選択用ウェブページ（５００〜５０２）の表示画面には、前記有価証券の仮目論見書及び追補目論見書の内容を複数階層に分類した各部分の項目とそれぞれの部分に対応するチェックボックスであって前記ダウンロードする部分の選択を投資家が行うためのチェックボックスが前記仮目論見書及び追補目論見書の目次の形式で表示され、
前記第１及び第２の選択用ウェブページの表示画面において前記募集要項の部分が最下位項目であって同一階層の項目に分類されている
ことを特徴とする［４］に記載のサーバ（１００）。
【００１４】
［６］前記有価証券の追補目論見書のコンテンツデータが前記データベース（１５１）に追加されたとき、前記追補目論見書のコンテンツデータの部分がダウンロード済みでない部分として登録されるように前記送信箇所情報を変更する変更手段（１３１）をさらに有する
ことを特徴とする［４］又は［５］に記載のサーバ（１００）。
【００１５】
［７］コンピュータを、［４］〜［６］の何れかに記載のサーバ（１００）として機能させるためのプログラム。
【００１６】
［８］コンピュータに、［１］〜［３］の何れかに記載のダウンロード管理方法を実行させるためのプログラム。
【発明の効果】
【００１７】
本発明によれば、目論見書のコンテンツデータのどの部分がダウンロード済みであるかを送信先のクライアントと対応付けてサーバ側に登録するので、当該情報に基づいてサーバ側で目論見書のコンテンツデータの中でダウンロード済みでない部分を見い出すことができる。また、有価証券の目論見書のコンテンツデータの中でダウンロードする部分の選択を行うための選択用ウェブページから投資家による選択を受け付けて最新の目論見書のコンテンツデータをクライアントへダウンロードすることができる。また、第１の選択用ウェブページから仮目論見書のコンテンツデータをクライアントにダウンロードすることができ、第２の選択用ウェブページから仮目論見書と追補目論見書の双方のコンテンツデータをクライアントにダウンロードすることができ、利便性を高めることができる。
更には、第１及び第２の選択用ウェブページにおいて募集要項の部分を最下位項目であって同一階層の項目に分類して表示することで、第１及び第２の選択用ウェブページから投資家が仮目論見書及び追補目論見書の募集要項の部分を容易かつ的確に選択できるようにすることができる。
また、有価証券の追補目論見書のコンテンツデータがデータベースに追加されたとき、その部分が未ダウンロードである旨を登録することで、追補目論見書のコンテンツデータの追加を行っても最新のダウンロード状況を送信箇所情報に反映することができる。
【発明を実施するための最良の形態】
【００１８】
以下、本発明の一実施の形態を、図面を参照して説明する。  
図１は、本発明の一実施の形態にかかるサーバ１００の機能構成を示している。サーバ１００は、インターネット２０１を通じて顧客の有するパーソナルコンピュータや携帯電話などの顧客端末２１０にＨＴＭＬ（HyperText Markup Language）形式で記述したホームページ（ウェブページ）等のデータを送信したり、顧客端末２１０から返送されてくる各種のデータを受信して処理する機能を果たす通信機能を備えたコンピュータ装置である。
【００１９】
本実施の形態では、サーバ１００は、証券会社に設置されており、インターネット２０１を通じて、新規発行の債券等の有価証券を紹介するためのウェブページを顧客端末２１０に送信したり、顧客に交付すべき目論見書を顧客端末２１０へダウンロードしたり、有価証券購入の約定を取り交わすための一連の処理を行う等の機能を果たすようになっている。以下、有価証券として、債券を主に例示して説明する。
【００２０】
サーバ１００は、所定のプログラムを実行することにより、受付手段１１０、ダウンロード手段１２０、送信情報登録手段１３０、確認手段１４０の各機能を果たすようになっている。
【００２１】
サーバ１００は、証券会社の有する大型コンピュータ１５０と接続されている。この大型コンピュータ１５０は、債券の取引等に関連するすべてのデータを統括的に管理するコンピュータ装置であり、例えばホストコンピュータにより構成される。
大型コンピュータ１５０には、銘柄データベース１５１、顧客データベース１５２等が接続されている。銘柄データベース１５１は、新規発行債券など新規に発売する債券（以下、新発債券と略す）についての詳細データを登録するものである。
銘柄データベース１５１には、新発債券についての発行登録目論見書や発行登録追補目論見書を表すデータ等が蓄積される。
顧客データベース１５２は、顧客を登録するためのデータベースであり、顧客の氏名、生年月日、性別、住所、電話番号のほか、顧客に交付した目論見書の名称、各目論見書のうちどの部分が当該顧客に対してダウンロード済みであるかを示す送信箇所情報等が登録される。なお、データベース１５１，１５２を大型コンピュータ１５０に設けてもよい。
【００２２】
サーバ１００のうち、受付手段１１０は、新発債券を紹介等するためのウェブページを顧客端末２１０のブラウザで表示するためのデータを、顧客端末２１０からの要求に応じてその要求元の顧客端末２１０に向けて送信する機能と、顧客端末２１０から返送されてくる要求や各種の情報を表すデータを受信して受け付ける機能を果たす部分である。
より詳細には受付手段１１０は、ダウンロードの対象となるデータである目論見書の中で、ダウンロードを希望する部分の選択を、クライアントである顧客端末２１０から受け付ける第１受付手段１１１としての機能と、その目論見書の全体あるいは一部を成す特定範囲の中で、ダウンロード済みでない部分のみをダウンロードする旨の要求を顧客端末２１０から受け付ける第２受付手段１１２としての機能を少なくとも有している。
【００２３】
なお、目論見書全体を特定範囲としてもよいが、データの種類や内容によっては、目論見書全体の中の一部分を特定範囲に設定してもよい。例えば、目論見書が、仮目論見書と、追補目論見書に分かれている場合には、仮目論見書を１つの特定範囲に、追補目論見書を他の１つの特定範囲に設定する等である。
【００２４】
サーバ１００が顧客端末２１０に向けて送信するウェブページには、ＣＧＩ（common gateway interface）プログラムが埋め込んである。
顧客端末２１０のブラウザ上でこれらのＣＧＩが実行されることにより、ダウンロード範囲の選択を受け付けたり、送信ボタンのクリックに応じて、先の選択範囲を示すデータ等をサーバ１００に向けて送信する等の動作が行われる。
【００２５】
ダウンロード手段１２０は、目論見書を表すデータを顧客端末２１０に向けて送信しダウンロードする機能を果たす部分である。このダウンロード手段１２０は、受付手段１１０が送信したウェブページの中で顧客がダウンロード範囲として選択した部分に対応するデータを顧客端末２１０に向けてダウンロードする第１送信手段１２１の機能を有している。
また、ダウンロード手段１２０は、顧客端末２１０からの要求に応じて、目論見書の全体あるいは一部を成す特定範囲の中でダウンロード済みでない部分だけ（すなわち残りの部分）を顧客端末２１０に向けてダウンロードする第２送信手段１２２としての機能を有する。
【００２６】
さらに、ダウンロード手段１２０は、データの中の特定部分がダウンロード済みであることを条件に許容される所定の処理の実行要求をクライアント２１０から受けたとき、目論見書の中の特定部分全体のうちでクライアントがダウンロード済みでない部分がある場合には、該当する部分をそのクライアントに向けてダウンロードする強制ロード手段１２３としての機能を有している。
より具体的には、強制ロード手段１２３は、新発債券の購入を希望する旨の要求を受けたとき、目論見書の全体がダウンロード済みか否かを調べ、ダウンロード済みでない部分をそのクライアントに向けて強制的にダウンロードする。このとき、確認手段１４０により調べる構成としてもよい。
【００２７】
制御手段１４５は、送信情報登録手段１３０および確認手段１４０の機能を有する。また、制御手段１４５は、サーバ１００を制御するコントローラの機能を有し、受付手段１１０とダウンロード手段１２０と大型コンピュータ１５０との間に介在して種々のデータを送受すると共に、大型コンピュータ１５０を介してデータベース１５１，１５２にアクセスする。この制御手段１４５は、ダウンロード管理プログラムを記憶する記憶装置と実行するＣＰＵ（中央処理装置）とを有する。
【００２８】
送信情報登録手段１３０は、目論見書の中でダウンロード済みの部分を示す送信箇所情報と送信先のクライアントを特定する受信者情報とを対応付けて顧客データベース１５２に登録する機能を有している。ダウンロード済みの箇所の登録は、ダウンロード手段１２０によってデータのダウンロードが実行された際に行われる。
また、送信情報登録手段１３０は、目論見書の内容を更新または追加したとき、更新部分および追加部分がダウンロード済みでない部分として登録されるように送信箇所情報の内容を追加変更する変更手段１３１の機能を有している。例えば、当初、仮目論見書だけであったデータに、追補目論見書のデータを追加する場合には、送信箇所情報として追補目論見書に対応するフィールドを追加し、その部分をダウンロード済みでないように初期設定する等である。
【００２９】
確認手段１４０は、顧客データベース１５２に登録されている受信者情報と送信箇所情報に基づいて、所定のクライアントが特定の目論見書の中の特定部分をダウンロード済みか否かを確認する機能を果たす部分である。
【００３０】
次に、新発債券の案内から購入までの一連の処理の流れを、図２および図３を参照して説明する。図２および図３では、新発債券の募集・売出し期間の前に既に募集の条件がすべて決定し、目論見書の内容が確定している場合を示している。
【００３１】
顧客が操作することにより、インターネット２０１を通じて顧客端末２１０は証券会社の運営するサーバ１００（サイト）の新発債券を紹介するウェブページにアクセスする（ステップＳ３０１）。当該アクセスに応じてサーバ１００は、大型コンピュータ１５０から、新発債券に関する情報を読み出し、これらの新発債券を一覧表示するウェブページのデータを顧客の顧客端末２１０に送信する（ステップＳ３０２）。
【００３２】
このウェブページには、新発債券の銘柄名と、各新発債券に対応付けてチェックボックスが表示される。これらのチェックボックスは、択一的に選択することが可能になっている。またこのウェブページには、上記のほかに、送信ボタンと、チェックボックスをマークして送信ボタンをクリックするとその新発債券の目論見書の交付サービスを受けられる旨のメッセージが表示される。
【００３３】
顧客端末２１０は、サーバ１００から送られてきたデータに基づいて、上述のウェブページをブラウザ上に表示する（ステップＳ３０３）。顧客は購入を希望する社債等の新発債券の表示領域をクリックする（ステップＳ３０４）。すなわち、目論見書の交付を希望する新発債券に対応するチェックボックスの上をクリックしてマークした後、送信ボタンをクリックする。これによりウェブページに埋め込んであるＣＧＩが起動され、マークされたチェックボックスの識別番号とダウンロード範囲を選択するための交付サービス画面の送信要求とが証券会社のサーバ１００に向けて送信される。
【００３４】
顧客端末２１０からの要求を受けて証券会社のサーバ１００は、大型コンピュータ１５０に接続されている銘柄データベース１５１から顧客がクリックして選択した社債等の新発債券を検出し、当該債券の目論見書の交付サービス画面（ウェブページ）のデータを顧客の顧客端末２１０に送信する（ステップＳ３０５）。顧客端末２１０は、サーバ１００から送られてきたデータに基づいて目論見書の交付サービス画面を表示する（ステップＳ３０６）。
【００３５】
図４は、顧客端末２１０に表示される目論見書の交付サービス画面４００の一例を示している。本画面４００には、目論見書を複数に分けた各部分のタイトルとそれぞれの部分に対応するチェックボックスが、目論見書の目次に見立てた形式で表示される。
【００３６】
ここでは、ダウンロードする部分を容易かつ的確に選択するために目論見書の各部分を複数の階層に分類してある。最上位階層は目論見書の全範囲の指定であり、次の階層は、第一部、第二部のように部を単位として選択することができる。さらにその下にもいくつかの階層が設定されている。上位階層の項目をダウンロードの対象としてマークすると、その項目の下位層の項目はすべてダウンロードの対象に設定される。さらに、未だダウンロードしていない残りの部分の全範囲を指定するためのチェックボックス４１０も用意されている。
【００３７】
顧客は、目論見書のうち、交付を希望する範囲を示す領域（チェックボックス）をクリックして選択する（ステップＳ３０７）。
図４の例では、募集要項のチェックボックス４１１をクリックしてマークした状態を示している。この状態で図示省略した送信ボタンをクリックすると、募集要項のチェックボックス４１１を表す識別番号とその部分をダウンロードする旨の要求とが証券会社のサーバ１００に向けて送信される。
【００３８】
証券会社のサーバ１００は、顧客端末２１０からの要求を受けて、大型コンピュータ１５０に接続されている銘柄データベース１５１から顧客がクリックして選択した範囲を検出し、目論見書のコンテンツデータのうち選択範囲のコンテンツデータを顧客端末２１０に向けて送信する（ステップＳ３０８）。
そして目論見書の送信先の顧客が、顧客データベース１５２に登録済みの顧客であるか否かを調べ（ステップＳ３０９）、登録済みの場合には（ステップＳ３０９：Ｙ）、その顧客の顧客端末２１０へ送信した範囲（端末装置２１０が受信した範囲）がダウンロード済みの部分として登録されるように送信箇所情報を更新する（ステップＳ３１０）。
顧客が登録済みでない場合には（ステップＳ３０９：Ｎ）、ダウンロード済みを示す送信箇所情報の更新は行わない。
【００３９】
顧客端末２１０は、サーバ１００から送られてきた目論見書の該当部分を表示する。顧客は、サーバ１００からダウンロードされた範囲の目論見書を見て、当該有価証券を購入するか否かの判断等を行う（ステップＳ３１１）。
そして、当該有価証券を購入する場合には、購入用のウェブページをアクセスし、当該ウェブページに設けてある入力欄に必要事項を入力し、該当の有価証券を購入する旨の注文データを、顧客端末２１０から証券会社のサーバ１００に向けて送信する（ステップＳ３１２）。
【００４０】
証券会社のサーバ１００は、顧客端末２１０からの注文データを受信し、当該顧客が登録済みであるか否か、および購入希望の債券に対応する目論見書のコンテンツデータが全部ダウンロード済みか否かを判断する（ステップＳ３１３）。具体的には、顧客データベース１５２からその顧客に対応するレコードを読み出し、その顧客が購入希望した債券に対応する送信箇所情報のフィールドを参照し、すべての部分がダウンロード済みになっているか否かを確認する。
【００４１】
該当する目論見書のコンテンツデータの一部でも交付（ダウンロード）済みでない場合には（ステップＳ３１４：Ｎ）、サーバ１００は、先の送信箇所情報を参照して、顧客端末２１０へ未だダウンロードしていない部分を検索し、先の目論見書の中の未ダウンロード部分（残りのコンテンツデータ）を、その顧客の顧客端末２１０へ送信する（ステップＳ３１５）。これを受けて顧客端末２１０は、サーバ１００から受信した残りのコンテンツデータを表示する（ステップＳ３１６）。
【００４２】
なお、残りのコンテンツデータを強制的にダウンロードする代りに、残りの部分をダウンロードしなければ、債券を購入できない旨のメッセージを通知し、目論見書の交付サービス画面４００に移行して残りの部分をダウンロードするように促してもよい。この場合、目論見書の交付サービス画面４００の中のチェックボックス４１０をクリックすることで、残りのコンテンツデータの部分だけが新たにダウンロードされる。すなわち、顧客データベース１５２に登録されているその顧客のレコードのうち該当する目論見書についての送信箇所情報のフィールドを参照してダウンロード済みでない部分を見出し、目論見書のうち未だダウンロードしていない部分だけを送信し、送信箇所情報を更新するという処理がなされる。
【００４３】
目論見書のコンテンツデータ全部を交付済みの場合（ステップＳ３１４：Ｙ）あるいは残りのコンテンツデータをすべて顧客端末２１０へダウンロードした後、サーバ１００は、目論見書を読んだことを確認するための確認ボタンを表示するためのデータを顧客端末２１０へ送信し（ステップＳ３１７）、顧客端末２１０は、このデータを受信して、確認ボタンを表示する（ステップＳ３１８）。
【００４４】
顧客が確認ボタンをクリックして目論見書を読んだ旨の意思表示を行うと、その旨を示す情報が顧客端末２１０からサーバ１００へ送信される（ステップＳ３１９）。
証券会社のサーバ１００は、先の情報を受信することにより、確認ボタンがクリックされたことを認識し、約定が成立した旨のメッセージを顧客端末２１０に送信する（ステップＳ３２０）。これにより、インターネット２０１を通じたオンラインでの新発債券の購入手続きが完了したことになる。証券会社の大型コンピュータ１５０は、当該債券の募集・売出し期間の経過後の受渡日に、顧客の口座から債券の代金を引き落とす（ステップＳ３２１）。これにより、取引がすべて完了する。
【００４５】
次に、仮の条件決定の段階で仮目論見書を交付し、ブックビルディング期間の経過後に、正式に条件決定し、これに従って仮目論見書を補充する内容の追補目論見書を交付する場合について説明する。仮目論見書だけを交付している期間中は、仮目論見書をダウンロードして表示可能であるが、債券購入のウェブページへ進むことはできなくする。したがって、図２および図３に示したもののうち、ステップＳ３０１からステップＳ３１０までだけが実行可能に設定される。登録済みの顧客が仮目論見書の一部または全部をダウンロードすると、その部分についてダウンロード済みである旨が顧客データベース１５２に登録される。
【００４６】
ブックビルディング期間が経過して条件が決定すると、追補目論見書の内容が交付され、対応するデータが銘柄データベース１５１に登録される。このとき、すべての顧客の該当する新発債券の送信箇所情報に、追補目論見書についてのデータフィールドが追加される。追加時の当初状態では、追加目論見書の部分がダウンロード済みでないとして登録される。
【００４７】
追補目論見書が交付されると、目論見書のダウンロード範囲を選択するための交付サービス画面には、仮目論見書の中でダウンロード範囲を選択するための表示に加えて追補目論見書の中でダウンロード範囲を選択するための表示が成される。
図５は、追補目論見書を交付した後の目論見書の交付サービス画面５００の一例を示しており、図４と同様にダウンロードする部分を容易かつ的確に選択するために仮目論見書及び追補目論見書のダウンロードする部分を複数の階層に分類している。追補目論見書が交付される前は、仮目論見書に関する部分５０１だけが交付サービス画面として表示されており、追補目論見書が交付されると、追補目論見書に関する部分５０２が追加される。図５の目論見書の交付サービス画面５００では、仮目論見書に関する部分５０１において募集要項の階層は証券情報の階層よりも下の階層となっており、追補目論見書に関する部分５０２において募集要項の階層は証券情報の階層よりも下の階層となっており、仮目論見書に関する部分５０１の募集要項の階層と追補目論見書に関する部分５０２の募集要項の階層は同じ階層であって最下位階層に分類されている。
【００４８】
こうして追補目論見書のダウンロードが可能になると、それ以後は、該当の債券についての購入用ウェブページへアクセスすることが可能になる。すなわち、ステップＳ３１１以後の手順に進むことが可能になるので、顧客は、追補目論見書の必要箇所をダウンロードして表示し、当該債券を購入するか否かを判断し（ステップＳ３１１）、購入を希望する場合には、その旨をサーバ１００に送信する（ステップＳ３１２）。
【００４９】
サーバ１００は、その顧客が仮目論見書と追補目論見書のすべてをダウンロードしているか否かを判別し（ステップＳ３１３、３１４）、未だダウンロードされていない部分のコンテンツデータがある場合には、その部分を強制的に該当の顧客端末２１０に向けて送信する（ステップＳ３１５、Ｓ３１６）。
その後、仮目論見書および追補目論見書の双方を読んだ旨の意思表示を、仮目論見書および追補目論見書の双方を読んだことを確認するための確認ボタンのクリックによって受け取ると（ステップＳ３１７、Ｓ３１８、Ｓ３１９）、約定が成立し、その旨のメッセージを顧客端末２１０に向けて送信し、受渡し日に顧客の口座から債券の代金を引き落とす処理が行われる。
【００５０】
このように、目論見書等の中の一部を選択してダウンロードすることができるので、顧客は、購入を検討する際に、募集要項などの主要部だけをダウンロードして判断することができる。
また、各顧客に対して目論見書のどの部分がダウンロード済みであるかを登録するので、購入希望を受けた際に、未ダウンロードの部分を強制的にダウンロードすることができる。また各顧客が目論見書の全部をダウンロード済みであるか否か等をサーバ１００の側でいつでも確認することができる。
【００５１】
さらに未ダウンロードの部分のすべてを選択するという１回の操作だけで、未ダウンロードの部分をダウンロードすることができるので、ダウンロード済みの部分とダウンロード済みでない部分とを顧客の側で管理する必要がなく、顧客にやさしい操作性を提供することができる。また、有価証券の注文データを受け付けた場合にダウンロード済みでない部分を顧客端末２１０に向けてダウンロードすることにより、同一箇所を重ねてダウンロードすることが防止され、これにより注文データの受付から有価証券の目論見書全体が交付されるまでのダウンロードに伴う時間を低減することができる。
【００５２】
このほか、サーバ側で目論見書の内容を更新したり追補目論見書を加えたとき、更新部分および追加部分がダウンロード済みでない部分として登録されるように送信箇所情報を変更するので、最新の目論見書に対する各顧客のダウンロード状況を的確に把握することができる。
【００５３】
以上説明した実施の形態では、新発債券の募集・売出しに伴って交付すべき目論見書のダウンロードを行う場合について説明したが、サーバから送信するデータは、これに限定されるものではない。また実施の形態では、大型コンピュータ１５０の配下にある銘柄データベース１５１や顧客データベース１５２に目論見書のデータ、送信箇所情報、受信者情報等を記憶するようにしたが、サーバ１００が直接、これらのデータベースを管理してもよい。また送信箇所情報や受信者情報については、サーバ１００の有するメモリに記憶してもよい。有価証券として債券を例示したが、例えば投資信託又は株式についての募集あるいは売出し時における目論見書について適用してもよい。
【００５４】
このほか、一般的に目論見書の中で顧客が注目する個所を予め抽出し、ダウンロード範囲を選択する際にそれらの箇所を１回の操作で一括選択できるようにすれば、操作性、利便性がより一層向上する。
【図面の簡単な説明】
【００５５】
【図１】本発明の実施の形態に係るダウンロード管理方法およびプログラムを実行するサーバの機能構成を示すブロック図である。
【図２】本発明の実施の形態に係るサーバを用いて行う新発債券の案内から購入までの一連の処理を示す流れ図である。
【図３】図２に続いて、本発明の実施の形態に係るサーバを用いて行う新発債券の案内から購入までの一連の処理を示す流れ図である。
【図４】本発明の実施の形態に係るサーバがクライアントに向けて送信する目論見書の交付サービス画面の一例を示す第１の説明図である。
【図５】本発明の実施の形態に係るサーバがクライアントに向けて送信する目論見書の交付サービス画面の一例を示す第２の説明図である。
【符号の説明】
【００５６】
１００…サーバ
１１０…受付手段
１１１…第１受付手段
１１２…第２受付手段
１２０…ダウンロード手段
１２１…第１送信手段
１２２…第２送信手段
１２３…強制ロード手段
１３０…送信情報登録手段
１３１…変更手段
１４０…確認手段
１４５…制御手段
１５０…大型コンピュータ
１５１…銘柄データベース
１５２…顧客データベース
２０１…インターネット
２１０…顧客端末
４００…目論見書の交付サービス画面
４１０…チェックボックス
４１１…募集要項のチェックボックス
５００…目論見書の交付サービス画面
【図１】
2005346735.tif 000003
【図２】
2005346735.tif 000004
【図３】
2005346735.tif 000005
【図４】
2005346735.tif 000006
【図５】
2005346735.tif 000007